(57)【要約】【課題】成形品本体に直接塗装を施すことによって安価で生産性よく製造することができるとともに、タワシやスポンジタワシ等の清掃具を用いた清掃時においても塗膜のエッジにピーリング方向の力が加わりにくい加飾成形品およびこの加飾成形品を精度よく製造することができる加飾成形品の製造方法を提供することを目的としている。【解決手段】成形品本体の表面の一部に塗装が施された加飾成形品において、成形品本体が、屈曲部と、この屈曲部を挟むように設けられた２つの平面部とを有し、成形品本体が、屈曲部と、この屈曲部を挟むように設けられた２つの平面部とを有し、屈曲部の屈曲中央から０〜３ｍｍの位置より一方の平面部にかけて塗装が施されていることを特徴している。【選択図】      図３
2006075999.tif 000002
【特許請求の範囲】
【請求項１】
成形品本体の表面の一部に塗装が施された加飾成形品において、
成形品本体が、屈曲部と、この屈曲部を挟むように設けられた２つの平面部とを有し、成形品本体が、屈曲部と、この屈曲部を挟むように設けられた２つの平面部とを有し、屈曲部の屈曲中央から０〜３ｍｍの位置より一方の平面部にかけて塗装が施されていることを特徴とする加飾成形品。
【請求項２】
２つの平面部のなす角度が１２０°以下であるとともに、屈曲部の横断面が１ｍｍＲ〜１０ｍｍＲの湾曲形状になっている請求項１に記載の加飾成形品。
【請求項３】
成形品本体となる繊維強化プラスチック製浴槽本体の框部の外縁部または框部全体を含む浴槽本体上縁部に塗装が施されている浴槽である請求項１または請求項２に記載の加飾成形品。
【請求項４】
塗装が施される被塗装部と、この被塗装部に隣接する塗装が施されない非塗装部との境界部分が屈曲部となっている成形品本体の、前記被塗装部と前記非塗装部とに跨がるように前記屈曲部に沿ってシート状またはテープ状をしたマスキング材を成形品本体に貼着するマスキング材貼着工程と、
前記屈曲部をガイドにしながら屈曲部の稜線に沿ってマスキング材をカッターによって切断したのち、マスキング材の被塗装部側に貼着された部分を除去するマスキング材除去工程と、
非塗装部にマスキング材の残部が貼着された状態で、被塗装部に塗装を施す塗装工程とを備えることを特徴とする加飾成形品の製造方法。
【請求項５】
水圧転写印刷法によって塗装を施す請求項４に記載の加飾成形品の製造方法。
【発明の詳細な説明】
【技術分野】
【０００１】
本発明は、たとえば、浴槽上縁部が浴水収容部と異なる色や柄に装飾された浴槽などように部分的に加飾のための塗装が施された加飾成形品およびその製造方法に関する。
【背景技術】
【０００２】
框部分を含む浴槽上縁部の装飾や色と、浴水収容部の装飾や色を変えることによって装飾性を高めるようにした浴槽がある。
このような浴槽の製造方法として、透明アクリル樹脂シートの框部分を含む浴槽上縁部となる部分に印刷を施したのち、透明アクリル樹脂シートを真空成形して浴槽本体を形成し、さらに、この浴槽本体を補強するために、浴槽本体の裏面側にさらに合板や繊維強化プラスチックをバックアップ成形するようにした製造方法が既に提案されている（たとえば、特許文献１参照）。
【０００３】
しかしながら、上記のような透明アクリル樹脂シートを用いた製造方法の場合、母材となる透明アクリル樹脂シートが高価なため、成形品自体のコストがあがってしまうという問題がある。
【０００４】
また、印刷後に、透明アクリル樹脂シートを真空成形するようにしているため、印刷されたインクや塗料が、成形時に引き伸ばされる上、その引き伸ばしの度合いが、印刷された部分によって異なる。したがって、大きく伸ばされる部分でも引き伸ばしによって印刷の透けやクラックが生じないように、予め大きく引き伸ばされる部分のインクや塗料の厚みを厚くするか、全体のインクや塗料の厚みを厚くしておく必要がある。
【０００５】
しかし、前者の方法の場合、成形される浴槽の形状が異なるごとに、その印刷条件を変更しなければならず、面倒であるという問題があり、後者の方法の場合、インクや塗料の無駄が大きいという問題がある。
【０００６】
【特許文献１】特開２００２−３００９７８号公報
【発明の開示】
【発明が解決しようとする課題】
【０００７】
そこで、本発明の発明者らは、水圧転写印刷法を用いて浴槽本体に直接塗装をほどこせば、上記問題は解消でると考えた。
しかしながら、浴槽などは、タワシ、スポンジタワシ等の清掃具を用いて浴槽内がこすりながら清掃されるが、上記のような製造方法で製造された浴槽の場合、塗膜のエッジ部分で浴槽本体との間に若干の段差がどうしても生じる。したがって、清掃の際に、清掃具によって、塗膜のエッジにピーリング方向の力が加わり、塗膜が剥がれてしまう恐れがある。
【０００８】
本発明は、上記事情に鑑みて、成形品本体に直接塗装を施すことによって安価で生産性よく製造することができるとともに、タワシやスポンジタワシ等の清掃具を用いた清掃時においても塗膜のエッジにピーリング方向の力が加わりにくい加飾成形品およびこの加飾成形品を精度よく製造することができる加飾成形品の製造方法を提供することを目的としている。
【課題を解決するための手段】
【０００９】
上記目的を達成するために、本発明にかかる加飾成形品は、成形品本体の表面の一部に塗装が施された加飾成形品において、成形品本体が、屈曲部と、この屈曲部を挟むように設けられた２つの平面部とを有し、屈曲部の屈曲中央から０〜３ｍｍの位置より一方の平面部にかけて塗装が施されていることを特徴している。
【００１０】
本発明の加飾成形品は、屈曲部を挟む２つの平面部のなす角度が１２０°以下であることが好ましく、９３°以上１２０°以下がより好ましい。すなわち、両平面部のなす角度が１２０°を超えると、たとえば、タワシ等の洗浄具により加飾成形品を清掃しようとした場合、被塗装部の塗膜端部にピーリング方向の力が働き、塗膜が剥がれる恐れがある。
【００１１】
また、上記屈曲部は、屈曲部の横断面が１ｍｍＲ〜１０ｍｍＲの湾曲形状になっていることが好ましく、２ｍｍＲ〜５ｍｍＲの湾曲形状に形成されていることがより好ましく、３ｍｍＲ前後の湾曲形状に形成されていることがさらに好ましい。
すなわち、屈曲部が１ｍｍＲより小さい湾曲形状であると、段部を設けたことによる違和感を緩和できず、屈曲部が１０ｍｍＲより大きい湾曲形状であると、カッターのみではマスキングテープを屈曲部の稜線、つまり、浴槽上縁部の下端に沿ってうまくカットできなくなる恐れがある。
【００１２】
本発明の加飾成形品としては、特に限定されないが、たとえば、浴槽が挙げられる。
浴槽の場合、被塗装部が、成形品本体となる繊維強化プラスチック製浴槽本体の框部の外縁部または框部全体を含む浴槽本体上縁部に設けられていることが好ましい。
【００１３】
被塗装部に塗装される塗料またはインクは、特に限定されないが、成形品本体との密着強度が２ＭＰａ以上となるものを選択することが好ましい。また、密着強度をあげるため、成形品本体の被塗装部の表面をサンディング等により粗面化しておくことが好ましい。
被塗装部に形成される塗膜の厚みは、１５０μｍ以下にすることが好ましい。すなわち、１５０μｍを超える厚みにすると、マスキングテープを剥がす際に、塗膜がマスキングテープとともに剥がれる恐れがある。
【００１４】
なお、マスキングテープは、特に限定されないが、塗膜が塗膜を形成する塗料やインクの（ガラス転移温度（Ｔｇ）−３０℃）以上の温度範囲に剥がすことが好ましい。すなわち、塗料やインクがあまり硬化してしまうと、マスキングテープを剥がす際に塗膜が剥がれる恐れがある。
【００１５】
本発明にかかる加飾成形品の製造方法は、塗装が施される被塗装部と、この被塗装部に隣接する塗装が施されない非塗装部との境界部分が屈曲部となっている成形品本体の、前記被塗装部と前記非塗装部とに跨がるように前記屈曲部に沿ってシート状またはテープ状をしたマスキング材を成形品本体に貼着するマスキング材貼着工程と、
前記屈曲部をガイドにしながら屈曲部の稜線に沿ってマスキング材をカッターによって切断したのち、マスキング材の被塗装部側に貼着された部分を除去するマスキング材除去工程と、
非塗装部にマスキング材の残部が貼着された状態で、被塗装部に塗装を施す塗装工程とを備えることを特徴としている。
【００１６】
本発明の加飾成形品の製造方法において、被塗装部に塗装を施す方法としては、特に限定されないが、水圧転写印刷法を用いて行うことが好ましい。
水圧転写印刷法とは、印刷しようとする図柄があらかじめ印刷された転写シートの図柄部分にシンナー等の溶剤を噴霧し、図柄を構成する塗料やインクを溶解状態にしたのち、転写シートを図柄が上を向くように水に浮かべ、被塗装部を転写シートの図柄部分に押し当てながら、転写シートを水中に沈め、水圧によって転写シートから図柄を被塗装部に転写する方法をいう。
【００１７】
なお、転写シートとは、水溶性あるいは水膨潤性のベースフィルムの上に転写インキによって印刷絵柄が印刷されているものを言い、ベースフィルムの材質としては、特に限定されないが、ポリビニルアルコール（ポバール）を主成分とし、これにポリアクリル酸アミドや他の水溶性高分子、デンプン、ゼラチン、にかわ等を必要に応じて混合した公知のものが好適に使用される。
また、転写にあたっては、特に限定されないが、通常、被塗装部の表面にプライマー塗料を塗布し、このプライマー塗料層の上に転写インキ定着層を形成しておくことが好ましい。
【００１８】
本発明の加飾成形品の製造方法は、たとえば、浴室ユニットの浴槽の製造に好適に使用されるが、浴室ユニットのエプロン、カウンター等の製造にも使用できる。成形品本体の材質は、特に限定されないが、たとえば、繊維強化プラスチック（ＦＲＰ）が挙げられる。
【発明の効果】
【００１９】
本発明にかかる加飾成形品は、以上のように、成形品本体が、屈曲部と、この屈曲部を挟むように設けられた２つの平面部とを有し、屈曲部の屈曲中央から０〜３ｍｍの位置より一方の平面部にかけて塗装が施されているので、成形品本体に直接塗装を施すことによって安価で生産性よく製造することができるとともに、タワシやスポンジタワシ等の清掃具を用いた清掃時においても塗膜のエッジにピーリング方向の力が加わりにくい。したがって、塗膜が剥がれ落ちたりしにくく、耐久性に優れたものとなる。
【００２０】
また、２つの平面部のなす角度を１２０°以下、屈曲部の横断面を１ｍｍＲ〜１０ｍｍＲの湾曲形状にすれば、より塗膜が剥がれ落ちたりしにくく、耐久性に優れたものとなる。
そして、上記のような構成を備えた浴槽は、装飾性に優れるとともに、安価に製造できる。しかも、清掃具による清掃の際にも、塗膜の端部にピーリング方向の力が働きにくいため、塗膜が剥が落ちたりすることがない。
【００２１】
一方、本発明にかかる加飾成形品の製造方法は、屈曲部をガイドにしながら屈曲部の稜線に沿ってマスキングテープをカッターによって切断するようにしたので、マスキングテープが被塗装部の境界線に沿って容易かつ正確に貼着される。したがって、安価で生産性よく、意匠性に富んだ加飾成形品を製造することができる。
【００２２】
特に、成形品本体の屈曲部を１〜１０ｍｍＲの湾曲形状に形成しておけば、定規等の治具を用いなくてもカッターのみでマスキングテープを正確に切断することができる。したがって、より容易に加飾成形品を製造することができる。
【発明を実施するための最良の形態】
【００２３】
以下に、本発明を、その実施の形態をあらわす図面を参照しつつ詳しく説明する。
図１〜図３は、本発明にかかる加飾成形品およびその製造方法の１つの実施の形態をあらわしている。
【００２４】
この加飾成形品の製造方法は、まず、図１に示すような成形品本体としての浴槽本体１を成形する。すなわち、この浴槽本体１は、ＳＭＣ等をプレス成形することあるいはハンドレイアップ法によって得られる繊維強化プラスチック製で、框部２１を含み被塗装部となる浴槽上縁部２と、浴水が溜められ、被塗装部の隣接部となる浴水収容部３とを有し、図２に示すように、浴水収容部３が、浴槽上縁部２と接する部分に一方の平面部としての浴槽上縁部２の下端部２３との間で屈曲部４を形成する他方の平面部としての段部３１を備えている。
【００２５】
段部３１は、その幅が３ｍｍ程度で、屈曲部４は、１Ｒ〜１０Ｒの湾曲形状をしている。
また、浴槽上縁部２の下端部２３と、段部３１とは、そのなす角度θ1が、９３〜１２０°になっている。
【００２６】
そして、この浴槽本体１の浴槽上縁部２に、つぎのようにして塗装を施す。
（１）図３（ａ）に示すように、屈曲部４の稜線に沿って浴槽上縁部２の下端部２３と段部３１を含む浴水収容部３とに跨がった状態で浴槽本体１に第１のマスキングテープ５ａを浴槽本体１の内壁面全周にわたって貼着する。
【００２７】
（２）マスキングテープ５ａにカッターＣの刃先を押し当てて屈曲部４の稜線に沿って、マスキングテープ５ａを切断し、図３（ｂ）に示すように、浴槽上縁部２側に貼着されたマスキングテープ５ａの分割片５１を取り除く。すなわち、見切り面を均一にする。
（３）図３（ｃ）に示すように、浴水収容部３側に残ったマスキングテープ５ａの残部５２に一部が重なるように第２のマスキングテープ５ｂをマスキングテープ５ａの残部５２より下側の浴水収容部３の内壁面に貼着し、被塗装面である段部３１およびこの段部３１より下側の浴水収容部３の内壁面をマスキングする。
【００２８】
（４）エポキシ樹脂系のプライマー塗料を浴槽上縁部２の表面に塗布しセッティングしたのち、加熱乾燥炉（図示せず）中に入れて焼き付け乾燥して、図３（ｃ）に示すように、プライマー塗料層６１を浴槽上縁部２の表面に形成する。
（５）転写インキ定着層形成用塗料をプライマー塗料層６１の表面に塗布しセッティングしたのち、加熱乾燥炉に入れて加熱乾燥させて、図３（ｃ）に示すように、転写インキ定着層６２を形成する。
【００２９】
（６）その後、図示していないが、ポリビニルアルコールを主成分とするベースフィルムに印刷図柄が印刷された転写シートを水の上に浮かべ、ベースフィルムを構成するポリビニルアルコールを水に溶解させるとともに、転写シートの転写インキに活性剤（たとえば、シンナー等の有機溶剤）を噴霧して転写インキを溶解させたのち、転写インキ定着層６２を溶解状態の転写シートに押し当てて水中に沈め、水圧によって転写シートの印刷図柄を転写インキ定着層６２上に転写して、図３（ｃ）に示すように、転写インキ層６３を形成する。
（７）転写後に表面に残るポリビニルアルコールを温水洗浄し、水滴を拭き取り、乾燥炉内に入れ塗膜に吸収された水分を乾燥除去する。
【００３０】
（８）転写インキ層６３の上に、たとえば、アクリルウレタン系のトップコート塗料を塗布したのち、加熱乾燥炉に入れて加熱乾燥させて、図３（ｃ）に示すように、トップコート層６４を形成する。
（９）加熱乾燥炉から取り出し、上記のようにして浴槽上縁部２上に形成された加飾塗膜６を構成する塗料およびインクが（ガラス転移温度−３０℃）以上の温度範囲にある間に、図３（ｄ）に示すように、マスキングテープ５ｂおよびマスキングテープ５ａの残部５２を取り除き、図４および図５に示すように、浴槽上縁部２に段部３１を見切り面とし、その端縁を屈曲部４の屈曲中心から０〜３ｍｍの距離に備えた加飾塗膜６正確に形成された浴槽Ａを形成する。
【００３１】
なお、図５中、ＢＲはユニット式浴室である。
【００３２】
この製造方法は、以上のように、屈曲部４をガイドにしながら屈曲部４の稜線に沿ってマスキングテープ５ａをカッターＣによって切断するようにしたので、マスキングテープ５ａの浴槽上縁部２側に貼着された分割片５１を取り除くようにすれば、マスキングテープ５ａの残部５２が被塗装部である浴水収容部３の浴槽上縁部２の下端との境界線に沿って容易かつ正確に貼着される。したがって、安価で生産性よく、被塗装部である浴槽上縁部２のみに塗装を施した意匠性に富んだ加飾成形品を製造することができる。
また、屈曲部４が１〜１０Ｒの湾曲形状に形成されているので、定規等の治具を用いなくてもカッターＣのみでマスキングテープ５ａを正確に切断することができる。
【００３３】
さらに、加飾塗膜６形成後、塗料およびインクが（ガラス転移温度−３０℃）以上の温度範囲にある状態でマスキングテープ５ｂおよびマスキングテープ５ａの残部５２を取り除くようにしたので、浴槽上縁部２上に形成された加飾塗膜６がマスキングテープ５ｂおよびマスキングテープ５ａの残部５２の取り除きに伴って剥がれたりすることがない。
【００３４】
そして、得られた本発明の加飾成形品としての浴槽Ａは、浴槽上縁部２の下端部２３と段部３１とがなす角度が９３°以上１２０°以下であるので、浴槽Ａ内を洗浄する場合に、タワシ等の洗浄具により浴槽上縁部２の下端部２３の塗膜端部にピーリング方向の力が働かない。したがって、洗浄具による洗浄時に塗膜６が剥がれたりすることがない。
しかも、高価なアクリル樹脂等を使用していないので安価に製造することができる。
【００３５】
図６は、本発明にかかる加飾成形品の他の実施の形態の浴槽をあらわしている。
図６に示すように、この加飾成形品としての浴槽Ｂは、成形品本体としての浴槽本体７が、框部８が山形に高くなった框本体８１と、この框本体８１の一方の平面部となる外側下端部８１ａと、屈曲部８３を挟んで他方の平面部となる段部８２ａを備えた外縁部８２とを備え、外側下端部８１ａと段部８２ａとのなす角度θ2が９３°以上１２０°以下で、屈曲部４が１〜１０ｍｍＲの湾曲形状に形成されている。そして、上記浴槽Ａと同様にして外縁部８２に水圧転写印刷法によって加飾塗膜６が塗装されている。
そして、框部８の外縁部８３に塗装が施されている以外は、上記の浴槽Ａと同様になっている。なお、図６中、９は浴水収容部である。
【００３６】
本発明にかかる加飾成形品の製造方法は、上記の実施の形態に限定されない。たとえば、上記の実施の形態では、第１のマスキングテープの残部と、第２のマスキングテープによって浴水収容部の内壁面をマスキングするようにしているが、上記の実施の形態よりマスキングテープの貼着作業が少し難しくなるが、第１のマスキングテープとして上記の実施の形態より幅の広いマスキングテープを用いて段部近傍だけでなく浴水収容部の内壁面をマスキングすることによって第２のマスキングテープを省略しても構わない。
上記の実施の形態では、浴水収容部に塗装が施されていないが、浴水収容部にも必要に応じて塗装を施すようにしても構わない。
【図面の簡単な説明】
【００３７】
【図１】本発明にかかる加飾成形品の製造方法の１つの実施の形態である成形品本体としての浴槽本体の１例をあらわす平面図である。
【図２】図１のＸ−Ｘ線断面を模式的にあらわす断面図である
【図３】図１の浴槽本体への塗装方法を図２のＹ部を拡大した断面で工程順に説明する説明図である。
【図４】本発明にかかる加飾成形品の製造方法で得られる加飾成形品としての浴槽の断面図である。
【図５】図４の浴槽の浴室への取り付け状態をあらわす斜視図である。
【図６】本発明にかかる加飾成形品の他の実施の形態である浴槽の要部断面図である。
【符号の説明】
【００３８】
Ａ，Ｂ  浴槽（加飾成形品）
Ｃ  カッター
１  浴槽本体（成形品本体）
２  浴槽上縁部（被塗装部）
２３  浴槽上縁部２の下端部（平面部）
３  浴水収容部（隣接部）
３１  段部（平面部）
４  屈曲部
５ａ，５ｂ  マスキングテープ
５１  分割部
５２  残部
６  加飾塗膜
７  浴槽本体（成形品本体）
８  框部
８１  框本体部
８１ａ  框本体部の外側下端部（平面部）
８２  外縁部
８２ａ段部（平面部）
８３  屈曲部
【図１】
2006075999.tif 000003
【図２】
2006075999.tif 000004
【図３】
2006075999.tif 000005
【図４】
2006075999.tif 000006
【図５】
2006075999.tif 000007
【図６】
2006075999.tif 000008